(57)【要約】【課題】外出先でも、より簡単に素早く交通機関の時刻表情報を得る。【解決手段】モード判断により、時刻表出力モード時（処理Ｓ１のＹｅｓ）、時刻表出力料金以上か判断し（Ｓ２）。Ｙｅｓの時、交通機関選択画面を表示（Ｓ３）。交通機関選択後、路線名選択の画面表示（Ｓ４）。この画面で、路線名スクロール選択か、駅名直接入力かを選択し、直接入力でない時（処理Ｓ５のＮｏ）、表示中の路線名選択（Ｓ６）、さらに路線名詳細選択画面表示（Ｓ７）。同様に路線名スクロール選択か、駅名直接入力か選択し、直接入力でないとき（処理Ｓ８のＮｏ）、路線名詳細から選択し（Ｓ９）、駅名選択画面へ移る（Ｓ１０）。駅名スクロール選択か、直接入力か選択し、直接入力でない時（処理Ｓ１１のＮｏ）、スクロール選択し（Ｓ１２）、上り時刻表表示画面へ（Ｓ１３）、また下り時刻表の入手スイッチの確認で（Ｓ１４）、下り時刻表表示画面へ移る（Ｓ１６）。デジタル複写機の時刻表データからユーザ希望の駅時刻表を簡単、かつ短時間で入手する。【選択図】    図９
2004247809.tif 000002
【特許請求の範囲】
【請求項１】
原稿から光学的に読み取った画像データを用紙に印刷出力するデジタル複写機であって、交通機関の時刻表データを蓄積可能な記憶手段を備え、前記時刻表データからの選択データを印刷出力することを特徴とするデジタル複写機。
【請求項２】
時刻表データの閲覧、及び駅名を検索する機能を有する操作表示手段を備えたことを特徴とする請求項１記載のデジタル複写機。
【請求項３】
原稿を読み取った画像データを印刷出力する複写処理、または時刻表データからの選択データを印刷出力する時刻表処理を選択する手段を備えたことを特徴とする請求項１または２記載のデジタル複写機。
【請求項４】
原稿を読み取った画像データを印刷出力する複写料金と、時刻表データからの選択データを印刷出力する時刻表料金を、印刷出力枚数に応じて算出し入金金額から徴収する課金手段を備え、前記課金手段の算出情報に基づき各処理動作を開始することを特徴とする請求項１〜３のいずれか１項記載のデジタル複写機。
【発明の詳細な説明】
【０００１】
【発明の属する技術分野】
本発明は、原稿画像読み取って用紙に印刷出力する複写機能に加えて、蓄積手段に蓄積されている時刻表データを印刷出力するデジタル複写機に関するものである。
【０００２】
【従来の技術】
近年、コンビニエンスストア等の多くの機関において、一般ユーザに対して白黒またはカラーの原稿を複写し印刷出力するデジタル複写機を用いたコピーサービスが提供されている。
【０００３】
一方、インターネットの普及により、電車・バス等一般交通機関の乗り継ぎ等の時刻表情報を駅に直接出向いて、または電話等により問い合わせをしなくても、各交通関連会社や個人のホームページに掲載された情報をパーソナルコンピュータ（以下、ＰＣという）により容易に閲覧できるようになってきている。
【０００４】
また、屋外等のＰＣのない環境下においてでも、携帯電話のＷＥＢサービスの普及により、電車やバスの乗り継ぎ検索サービス等の情報が個人に提供されている。
【０００５】
電車やバス等の一般交通機関の乗り継ぎ等の時刻表情報の取得について、外出予定がある場合には、外出前に駅で確認をしたり、ＷＥＢサービスを利用して検索することにより、これから利用する交通機関の乗り継ぎ等の時刻表情報を知る手段は多く考えられるが、外出先からさらに移動する場合や目的の時刻に乗り遅れてしまった場合には、外出先で再び時刻表や乗り換えの情報を確認する必要性がある。
【０００６】
特許文献１には、携帯電話と、インターネットを介し接続される地図情報サービス及び印刷サーバと、印刷端末との構成により、携帯電話から目的地を入力し、地図情報サービスから目的地の情報を印刷サーバに保存し、その後、印刷端末を操作することで、印刷サーバより目的地情報を取り出す発明が記載されている。
【０００７】
【特許文献１】
特開２００２−２５９２７７号公報
【０００８】
【発明が解決しようとする課題】
外出先からの交通機関の乗り継ぎ等の時刻表情報を確認する方法としては、前述したように駅に直接問い合わせたり、携帯電話を用いて検索したりという方法が考えられる。
【０００９】
しかしながら、駅に問い合わせるためには目的の駅の電話番号を調べなければならないし、携帯電話によって検索する場合にはアクセスするための時間及び料金もかかり、また、現在の携帯電話のＷＥＢサービスではアクセス時間が遅く、また、混雑時等の状況によってはＷＥＢサービス接続が中断してサービスを受けることができないという問題があった。
【００１０】
本発明は、前記従来技術の問題を解決することに指向するものであり、前述した外出時のような場合に、最寄りのコピーサービス提供機関（例えば、コンビニエンスストア）に設置することによって、より簡単で確実に交通機関の時刻表や乗り換えの情報を提供することができ、また、オフィス等に設置することで、急いでいるときに、ＰＣによる路線乗り継ぎ情報の検索を行うことなく、より簡単に素早く時刻表情報を得ることができるデジタル複写機を提供することを目的とする。
【００１１】
【課題を解決するための手段】
この目的を達成するために、本発明に係る請求項１に記載のデジタル複写機は、原稿から光学的に読み取った画像データを用紙に印刷出力するデジタル複写機であって、交通機関の時刻表データを蓄積可能な記憶手段を備え、時刻表データからの選択データを印刷出力する構成によって、時刻表データ以外の情報も多様に蓄積でき、簡単にかつ素早く時刻表の情報を得ることができる。
【００１２】
また、請求項２〜４に記載のデジタル複写機は、請求項１のデジタル複写機において、時刻表データの閲覧、及び駅名を検索する機能を有する操作表示手段と、原稿を読み取った画像データを印刷出力する複写処理、または時刻表データからの選択データを印刷出力する時刻表処理を選択する手段と、原稿を読み取った画像データを印刷出力する複写料金と、時刻表データからの選択データを印刷出力する時刻表料金を、印刷出力枚数に応じて算出し入金金額から徴収する課金手段を備え、この課金手段の算出情報に基づき各処理動作を開始する構成によって、蓄積されている時刻表データから容易に該当駅の時刻表を取得することができ、また、原稿の読み取り画像の印刷出力と時刻表データの印刷出力のそれぞれの処理を確実に識別して、いずれか一方の処理のみを動作させて処理混在による不具合を防ぐと共に、課金手段の算出結果からデジタル複写機の操作を制限でき、さらに、各処理に対する課金を確実に徴収でき、未使用時の電力消費を抑えることができる。
【００１３】
【発明の実施の形態】
以下、図面を参照して本発明における実施の形態を詳細に説明する。図１は本発明の実施の形態におけるデジタル複写機の概略構成を示すブロック図である。図１に示すように、デジタル複写機１の本体と、表示及び操作手段である液晶タッチパネルディスプレイ２と、現金（使用料金）徴収システムである課金システム装置３から基本的に構成される。デジタル複写機本体１には、コピー実行時に画像を読み取るためのスキャナユニット４と、画像情報を処理するためのイメージ・プロセッサ・ユニット（ＩＰＵ）５と、画像データを用紙に書き込み印刷出力する画像を形成させるための書き込みユニット６と、内蔵メモリ７と、駅名及び時刻表等の諸データを蓄積しておくための記憶手段である大容量ハードディスク装置（ＨＤＤ）８と、これらを相互に制御するためのＣＰＵ９からなる。
【００１４】
デジタル複写機１のスキャナユニット４は、コンタクトガラス上に乗せられた原稿画像の表面を露光ランプにより露光し、反射光像をミラーを通して縮小し、ＣＣＤラインセンサへと結像させる。ＣＣＤラインセンサは順次光電変換を行い、光信号を電気信号へと変換する。ＩＰＵ５では、ＣＣＤラインセンサにより電気信号に変換された画像データが処理される。
【００１５】
さらに、書き込みユニット６において、ＩＰＵ５で処理された画像データを半導体レーザ素子からレーザビームとして出力して、ポリゴンミラー等のミラーを通して感光体に現像する。感光体に現像された画像は用紙に転写され、原稿画像をコピーした用紙は排紙トレイから排紙される。
【００１６】
また、大容量ＨＤＤ８は、例えば、首都圏地域の交通機関（電車，バス，飛行機等）の情報とその時刻表，乗り継ぎの情報のデータを蓄積できる容量を有していなければならない。前述した液晶タッチパネルディスプレイ２及び課金システム装置３はＣＰＵ９と接続されており、相互にデータの送受信を行っている。
【００１７】
また、図２は本実施の形態におけるデジタル複写機の概観を示す斜視図である。図２に示すように、デジタル複写機１の上部前側に操作部１１が設けられ、その右隣部に液晶タッチパネルディスプレイ２が配置されている。図１に示すように、液晶タッチパネルディスプレイ２にはＣＰＵ１０が搭載されており、ディスプレイ表示や操作メニューの制御等に機能し、デジタル複写機１本体のＣＰＵ９との相互通信も行っている。また、スキャナユニット４においては、本実施の形態では原稿圧板１２を搭載したタイプのものを例に挙げているが、自動原稿送り装置（ＡＤＦ）を搭載したデジタル複写機１についても本発明は適用することができる。
【００１８】
図３に本実施の形態におけるデジタル複写機の操作部の概要を示す。本実施の形態のデジタル複写機は、従来のコピー機能に乗り換えの時刻表情報の出力機能を付加したものである。その操作部１１にはタッチパネルＬＣＤ１３と、設定確認スイッチ１４、リセットスイッチ１５、割込みスイッチ１６、試しコピースイッチ１７、クリアスイッチ１８、スタートスイッチ１９、テンキー２０、コピー出力モード選択スイッチ２１及びコピー／時刻表データ出力選択スイッチ２２から構成されている。
【００１９】
操作部１１におけるタッチパネルＬＣＤ１３は、従来のデジタル複写機と同様にコピーを実行するための各設定入力機能及び情報表示機能を有していて、操作ガイダンスや複写機異常時の警報等も表示される。設定確認スイッチ１４は、現状の複写機の設定をタッチパネルＬＣＤ１３にて確認するためのスイッチである。リセットスイッチ１５は、複写機の各設定をデフォルトに戻すためのスイッチである。割込みスイッチ１６は、実行中の複写を一時中断して他の複写を許容するためのスイッチである。試しコピースイッチ１７は、ユーザ使用時以外のメンテナンス時等に予め複写機内に用意されている画像を試しにコピー出力するためのスイッチである。クリアスイッチ１８は、タッチパネルＬＣＤ１３に表示される設定値をクリアしたり複写動作の中断を行うキーである。スタートスイッチ１９は、複写動作及び時刻表データ出力動作の開始を指示するためのスイッチである。
【００２０】
また、テンキー２０はタッチパネルＬＣＤ１３の表示画面における数値を入力するために使用するスイッチである。コピー出力モード選択スイッチ２１は、コピー出力をフルカラー、白黒、単色及び２色にするかを選択するためのスイッチである。コピー／時刻表出力選択スイッチ２２は、コピー動作を実行するかデータの出力動作を実行するかを選択するためのスイッチである。
【００２１】
図２に示す液晶タッチパネルディスプレイ２は、時刻表データの出力動作を実行するときにのみ使用するディスプレイであり、その具体的な操作方法を図４〜図７の液晶タッチパネルディスプレイ２の表示例を用いて説明する。図３に示すコピー／時刻表出力選択スイッチ２２の時刻表出力スイッチを押すことによって、デジタル複写機は時刻表データの出力モードへ入り、液晶タッチパネルディスプレイ２には図４に示す画面が表示され、交通機関の入力待ちとなる。
【００２２】
ここで、例えば「１．電車」を選択して「ＯＫ」ボタンを押すと、液晶タッチパネルディスプレイ２には図５に示す画面が表示され路線名の入力待ち画面となる。図５の画面では、例えば「１．ＪＲ」を選択して「ＯＫ」ボタンを押すと、液晶タッチパネルディスプレイ２には図６に示す画面が表示され路線名の詳細入力待ち画面となる。図６の画面では、例えば「１．ＪＲ山手線」を選択して「ＯＫ」ボタンを押すと、液晶タッチパネルディスプレイ２には図７に示す画面が表示されて、駅名の入力待ち画面となる。図７の画面では、例えば「１．東京」を選択して「ＯＫ」ボタンを押すと、液晶タッチパネルディスプレイ２には「１．東京」駅の時刻表が表示される。
【００２３】
また、図４〜図７に示す液晶タッチパネルディスプレイ２の表示画面における「▲」「▼」ボタンは路線や駅名のデータが表示画面に収まらない場合に画面をスクロールさせるためのボタンであり、「キャンセル」ボタンは、押すと時刻表出力モードを抜けて、再びコピー／時刻表出力を選択できる待機モードへと戻る。図５〜図７の画面における「戻る」ボタンを押すと一つ前の画面へと戻ることができる。また、「駅名入力」ボタンを押すと、路線名等に関係なく液晶タッチパネルディスプレイ２から駅名を直接入力できる画面となり、入力した駅名の時刻表が早急に表示できる。なお、この駅名直接入力画面における日本語入力画面は、かな、カタカナ、英字入力機能を備えた通常の複写機における入力画面と非常に類似するため画面図は割愛する。
【００２４】
前述した操作によって選択された時刻表は図８に示すように液晶タッチパネルディスプレイ２に表示される。この画面において「上り」「下り」ボタンによってどちらの時刻表を表示するかを選択して（図８に示す例では「上り」が選択されている。路線が山手線なので「内回り」）、「ＯＫ」ボタンを押すと表示画面上の時刻表データが用紙にハードコピーとして印刷出力される。
【００２５】
また、図８の画面における２つの「▲」「▼」ボタンは時刻表データがディスプレイ画面上に収まらない場合にスクロールするために用いるボタンであり、「戻る」ボタンは一つ前の画面に戻るためのボタンである。また、ハードコピーにて印刷出力される用紙サイズはＡ４サイズのみとする。
【００２６】
図１に示す課金システム装置３において、例えば、ユーザからの入金を確認する入金確認手段（図示せず）が、現金の投入やプリペイドカード等の読み取り手段への挿入によって、課金徴収が可能な状態となると、デジタル複写機１の図２に示す操作部１１からの操作が可能な待機モードとする指示を行う。その後、選択指示された印刷出力する処理により生じる請求額と先に入金された額との差を算出し、金額残高が残っており処理可能と判断した場合に指示された処理を行い、金額残高が残っていないと判断した場合には処理選択が操作不能な待機モードとする。以上の動作は、指示された印刷出力の処理が終了する毎に確認が行われる。
【００２７】
課金システム装置３は、コピー及び時刻表出力サービスや出力用紙の大きさや枚数等に基づいた料金をユーザから徴収する。各サービスの使用料金の一例を（表１）に示す。
【００２８】
【表１】
2004247809.tif 000003
【００２９】
この（表１）の料金表を用いて、課金システム装置３の動作を説明すると、金額残高が１０円未満の場合にはデジタル複写機自体が動作せず、１０円以上１００円未満のときはデジタル複写機のコピーモードのみ動作し、１００円以上のときはコピーモード及び時刻表出力モードの両モードが動作する。
【００３０】
以上に構成を説明した本実施の形態におけるデジタル複写機の時刻表データの印刷出力動作について、図９のフローチャートを参照しながら説明する。ここで、説明するデジタル複写機は、課金システム装置３により入金が確認され待機モードの状態となっている。
【００３１】
まず、時刻表出力モードかコピーモードのいずれかが図３のコピー／時刻表出力選択スイッチ２２の状態により判断され（Ｓ１）、時刻表出力モードが選択されているときには（処理Ｓ１のＹｅｓ）、金額残高が時刻表出力の料金以上（本実施の形態の例では（表１）に示すように１００円以上）であることが判断される（Ｓ２）。金額残高が時刻表出力モードへと入力できる条件を満たしていると（処理Ｓ２のＹｅｓ）、液晶タッチパネルディスプレイ２に時刻表出力モードの初期画面である交通機関を選択するための画面を表示する（Ｓ３）。交通機関選択画面において、時刻表情報を入手したい交通機関を選択して「ＯＫ」スイッチを押すことにより、次の画面である路線名を選択する画面を表示する（Ｓ４）。路線名選択画面では、路線名をスクロールスイッチにて選択するか、「駅名入力」スイッチにより駅名を直接入力する画面へと移り駅名を直接入力するかを選択する（Ｓ５）。駅名の直接入力を行わない場合には（処理Ｓ５のＮｏ）、表示されている中から路線名を選択し（Ｓ６）、次の路線名の詳細選択画面の表示へと移る（Ｓ７）。
【００３２】
この路線名詳細選択画面においても、路線名をスクロールスイッチにて選択するか、駅名直接入力画面により駅名を入力するかを選択する（Ｓ８）。路線名詳細を選択する場合（処理Ｓ８のＮｏ）、目的の路線名詳細を選択して（Ｓ９）、駅名選択画面の表示へと移る（Ｓ１０）。そして、駅名選択画面においても、「駅名入力」スイッチが設けてあり、駅名をスクロールスイッチにより選択するか、駅名直接入力画面により入力するかを選択できる（Ｓ１１）。
【００３３】
駅名をスクロールスイッチにて選択した場合（処理Ｓ１１のＮｏ）、目的の駅名を選択して「ＯＫ」スイッチを押すことによって（Ｓ１２）、上り時刻表表示画面へと移る（Ｓ１３）。ここで、表示されているのは電車時刻表であり、最初は「上り」（図８では山手線なので「内回り」）の時刻表であり、下り時刻表を入手したい場合は図８の「下り」スイッチの入力を確認し（Ｓ１４）、「下り」スイッチを押すことによって（処理Ｓ１４のＹｅｓ）、下り時刻表の表示画面へと切り替える（Ｓ１６）。
【００３４】
路線名選択画面、路線名詳細選択画面、駅名選択画面の各画面において、「駅名入力」を選択した場合は（処理Ｓ５，Ｓ８，Ｓ１１のＹｅｓ）、駅名直接入力画面（Ｓ１８）へと移り、駅名をタッチパネルディスプレイに直接入力することによって時刻表表示画面の処理Ｓ１３へと移る。処理Ｓ１３，Ｓ１６の時刻表表示画面において、「ＯＫ」スイッチを押すことによって上りまたは下りの時刻表をハードコピーとして印刷出力し（Ｓ１５，Ｓ１７）、処理Ｓ１へ戻る。
【００３５】
また、処理Ｓ１においてコピーモードを選択した場合には（処理Ｓ１のＮｏ）、金額残高が必要料金以上かどうかを判断し（Ｓ１９）、必要料金を満たしていれば（処理Ｓ１９のＹｅｓ）、コピー動作を実行し（Ｓ２０）、処理を終了する。
【００３６】
以上のように、デジタル複写機の蓄積している時刻表データからユーザが希望する駅名の時刻表を簡単、かつ短時間で確実に入手することができる。
【００３７】
【発明の効果】
以上説明したように、本発明によれば、蓄積されている時刻表データから容易に該当駅の時刻表を素早く取得でき、コピーモード、時刻表モードのそれぞれの処理を確実に識別して処理混在による不具合を防いで、さらに、各処理の課金を確実に徴収すると共に、課金対象処理の未使用時の電力消費を抑えた、誰もが容易に操作でき、いつでも時刻表を入手できるデジタル複写機を提供することができるという効果を奏する。
【図面の簡単な説明】
【図１】本発明の実施の形態におけるデジタル複写機の概略構成を示すブロック図
【図２】本実施の形態におけるデジタル複写機の概観を示す斜視図
【図３】本実施の形態におけるデジタル複写機の操作部の概要を示す図
【図４】本実施の形態における液晶タッチパネルディスプレイの交通機関選択画面の表示例を示す図
【図５】本実施の形態における液晶タッチパネルディスプレイの路線名選択画面の表示例を示す図
【図６】本実施の形態における液晶タッチパネルディスプレイの路線名詳細選択画面の表示例を示す図
【図７】本実施の形態における液晶タッチパネルディスプレイの駅名選択画面の表示例を示す図
【図８】本実施の形態における液晶タッチパネルディスプレイの時刻表表示画面の表示例を示す図
【図９】本実施の形態におけるデジタル複写機の時刻表データの印刷出力動作のフローチャート
【符号の説明】
１  デジタル複写機
２  液晶タッチパネルディスプレイ
３  課金システム装置
４  スキャナユニット
５，９  ＣＰＵ
６  書き込みユニット
７  内蔵メモリ
８  大容量ＨＤＤ
１１  操作部
２２  コピー／時刻表出力選択スイッチ
【図１】
2004247809.tif 000004
【図２】
2004247809.tif 000005
【図３】
2004247809.tif 000006
【図４】
2004247809.tif 000007
【図５】
2004247809.tif 000008
【図６】
2004247809.tif 000009
【図７】
2004247809.tif 000010
【図８】
2004247809.tif 000011
【図９】
2004247809.tif 000012